(57)【特許請求の範囲】
【請求項１】
目地風面で区画されたブロック状の浮出し面が形成された表壁と、前記表壁に間隔をおいて対向する裏壁と、前記表壁および前記裏壁の周縁部に連設された連結用のマージンとを有する中空二重壁構造のプラスチック製外殻体と、前記プラスチック製外殻体の中空部に充填された発泡コンクリートとを備えた建築用装飾板において、
前記裏壁における前記表壁に形成された目地風面に対向する部位には、複数の反表壁側へ突出する突出部を互いに間隔をおいて形成したことを特徴とする建築用装飾板。
【請求項２】
前記裏壁に、前記表壁側へ窪んだ凹状リブを形成したことを特徴とする請求項１に記載の建築用装飾板。
【請求項３】
前記中空二重壁構造のプラスチック製外殻体を、熱可塑性樹脂を押出しブロー成形することにより一体成形したことを特徴とする請求項１または２に記載の建築用装飾板。
【発明の詳細な説明】
【０００１】
【発明の属する技術分野】
本発明は、建築物の壁面等に貼り付けることによって、前記壁面等の外観を良好なものにするための建築用装飾板に関するものである。
【０００２】
【従来の技術】
図３に示す従来のプラスチック製建築用装飾板１０１は、表面に形成された目地風部１０１ｂで区画されたブロック状の突出部１０１ａと、上端側に連設された上縁部１０４と、右端側の凹凸状部に連設された側縁部１０３ａと、左端側の凹凸状部１０２に設けられた嵌合溝１０２ａと、裏面の下端側近傍部位に沿って互いに間隔をおいて突設された複数の受部構成用突起１０６とを備えている。
【０００３】
このプラスチック製建築用装飾板１０１を建築物の壁面等に貼り付ける際には、１枚目のプラスチック製建築用装飾板１０１を位置決めしたのち、上縁部１０４に形成された取付け孔１０７を利用して釘打ち等によって前記壁面等に固着し、ついで、２枚目のプラスチック製建築用装飾板１０１を１枚目のプラスチック製建築用装飾板１０１の上方部位に配置し、その受部構成用突起１０６の案内溝１０６ａに１枚目のプラスチック製建築用装飾板１０１の上縁部１０４を嵌め込み、その先端を案内溝１０６ａの壁面に当接させて位置決めしたのち、２枚目のプラスチック製建築用装飾板１０１を上述したように釘打ち等により前記壁面に固着する（特開平７−２１７０５９号公報参照）。
【０００４】
【発明が解決しようとする課題】
上記従来の技術では、プラスチック製建築用装飾板に外壁材として十分な機械的強度を持たせるためには厚肉にする必要があるが、その結果、重量が重くなって取り扱い上不便である。また、断熱性や耐火性も不十分であるという問題点があった。
【０００５】
本発明は、上記従来の技術の有する問題点に鑑みてなされたものであって、軽量でしかも断熱性や耐火性が優れた建築用装飾板を実現することを目的とするものである。
【０００６】
【課題を解決するための手段】
上記目的を達成するために、本発明の建築用装飾板は、目地風面で区画されたブロック状の浮出し面が形成された表壁と、前記表壁に間隔をおいて対向する裏壁と、前記表壁および前記裏壁の周縁部に連設された連結用のマージンとを有する中空二重壁構造のプラスチック製外殻体と、前記プラスチック製外殻体の中空部に充填された発泡コンクリートとを備えた建築用装飾板において、前記裏壁における前記表壁に形成された目地風面に対向する部位には、複数の反表壁側へ突出する突出部を互いに間隔をおいて形成したことを特徴とするものである。
【０００７】
【０００８】
また、前記裏壁に、前記表壁側へ窪んだ凹状リブを形成する。
【０００９】
さらに、前記中空二重壁構造のプラスチック製外殻体を、熱可塑性樹脂を押出しブロー成形することにより一体成形する。
【００１０】
【発明の実施の形態】
本発明に係る建築用装飾板の一実施の形態を図面に基づいて説明する。
【００１１】
図１に示すように、建築用装飾板Ｐは、間隔をおいて対向する表壁１および裏壁２と、表壁１および裏壁２の周縁部に連設された後述する連結用のマージン３〜６を備えた中空二重壁構造のプラスチック製外殻体の中空部に発泡コンクリート８が隅々まで充填されている。そして、表壁１には目地風面１ｂで区画された複数のブロック状の浮出し面１ａが形成されており、他方、裏壁２には複数の反表壁側へ突出する突出部２ｂが互いに間隔をおいて形成されているとともに、表壁側へ窪んだ凹状リブ２ａが形成されている。
【００１２】
本発明において、裏壁２に複数の反表壁側へ突出する突出部２ｂを互いに間隔をおいて形成した理由は、後述するように建築用装飾板Ｐを建築物の壁面等に貼り付けた際に、前記壁面等との間に空隙が生じ、該空隙を通して空気が流通することで結露を防止するためである。
【００１３】
本実施の形態では、複数の反表壁側へ突出する突出部２ｂは裏壁２における目地風面１ｂに対向する部位に形成した。
【００１４】
なお、凹状リブ２ａは、補強のために形成されたものであるが、本実施の形態の如く、その先端部が表壁１ａの裏面に当接する形状にすると、建築用装飾板Ｐの剛性等の機械的強度がより大きくなる。
【００１５】
上縁部に連設されたマージン（以下、「上方のマージン」という。）３は、図２に示すように、上縁部の目地風面１ｂの裏面側に形成された嵌合用溝部３ａと、嵌合用溝部３ａに続いて外側へ向けて折れ曲がった裏当て部３ｂと、裏当て部３ｂと平行に外側へ突出する裏壁２の延長部３ｄと、裏当て部３ｂおよび裏壁２の延長部３ｄの先端部を閉塞する端壁部３ｃからなり、上方のマージン３にはその長手方向へ互いに間隔をおいて複数の取付用孔７が設けられている。この取付用孔７は、上方のマージン３の裏当て部３ｂ、発泡コンクリート８および裏壁２の延長部３ｄを貫通している。
【００１６】
なお、本実施の形態では、裏壁２の延長部３ｄには反表壁側へ突出する複数の脚部３ｅが互いに間隔をおいて突設されている。
【００１７】
下縁部に連設されたマージン（以下、「下方のマージン」という。）４は、図２に示すように、浮出し面１ａの折返し面１ｃに続いて表壁側が外方へ折れ曲がった折曲がり部４ａと、折曲がり部４ａと平行な面を形成する裏壁側に形成された表壁側へ窪んだ段差部４ｂと、折曲がり部４ａおよび段差部４ｂの先端を閉塞する端壁部４ｃからなる。
【００１８】
右側縁部に連設されたマージン（以下、「右側のマージン」という。）５は、図１の（ｃ）に示すように、浮出し面１ａの折返し面１ｃに続いて表壁側が外方へ折れ曲がった裏当て部５ａと、突出部２ｂの頂面と同一面になるように裏壁側が折れ曲がった枠状部５ｂと、裏当て部５ａおよび枠状部５ｂの先端部を閉塞する端壁部５ｃからなる。
【００１９】
なお、右側のマージン５の下端側は、少なくとも上方のマージン３の突出長さ（幅）に相当する長さだけ欠落している。
【００２０】
左側縁部に連設されたマージン（以下、「左側のマージン」という。）６は、浮出し面１ａの折返し面に続いて表壁側が目地風面１ｂと同一面になるように外側へ折れ曲がった目地風部６ａと、突出部２ｂの頂面と同一面になるように裏壁側が折れ曲がった枠状部２ｃの外縁部から表壁側へ窪んだ段差部６ｂと、目地風部６ａおよび段差部６ｂの先端を閉塞する端壁部６ｃからなる。
【００２１】
本発明において、中空二重壁構造のプラスチック製外殻体は、熱可塑性樹脂を押出しブロー成形することにより一体成形することが好ましい。
【００２２】
本実施の形態の建築用装飾板Ｐの機能について、図２に示した３枚の建築用装飾板Ｐ1 〜Ｐ3 を互いに連結して壁面等に貼り付ける場合を例に挙げて説明する。
【００２３】
（１）  壁面等に１枚目の建築用装飾板Ｐ1 を位置決めし、上方のマージン３に設けられた取付用孔７を利用してビス（不図示）等の固着手段によって前記壁面等に固着する。
【００２４】
（２）  上記（１）ののち、２枚目の建築用装飾板Ｐ2 を１枚目の建築用装飾板Ｐ1 の上方部位に配置し、その下方のマージン４を１枚目の建築用装飾板Ｐ1 の上方のマージン３の嵌合用溝部３ａに嵌挿して位置決めしたのち、２枚目の建築用装飾板Ｐ2 の上方のマージン３の取付用孔７を利用してビス等の固着手段により前記壁面等に固着する。
【００２５】
なお、右側のマージン５の下端側は少なくとも上方のマージン３の突出長さ（幅）に相当する長さだけ欠落しているため、２枚目の建築用装飾板Ｐ2 の右側のマージン５と１枚目の建築用装飾板Ｐ1 の上方のマージン３とが干渉することがない。
【００２６】
（３）  上記（２）ののち、３枚目の建築用装飾板Ｐ3 を１枚目の建築用装飾板Ｐ1 の右側に配置し、ついで１枚目の建築用装飾板Ｐ1 に向けてスライドさせて３枚目の建築用装飾板Ｐ3 の左側のマージン６を１枚目の建築用装飾板Ｐ1 の右側のマージン５にオーバーラップさせて位置決めしたのち、その上部のマージン３の取付用孔７を利用してビス等の固着手段により前記壁面等に固着する。
【００２７】
【発明の効果】
本発明は上述のとおり構成されているので、次に記載するような効果を奏する。
【００２８】
中空二重壁構造のプラスチック製外殻体の中空部に発泡コンクリートが充填されているため、軽量でしかも断熱性や耐火性が優れている。
【図面の簡単な説明】
【図１】  本発明に係る建築用装飾板の一実施の形態を示し、（ａ）はその模式正面図、（ｂ）は（ａ）のＡ−Ａ線に沿う模式部分断面図、（ｃ）は（ａ）のＢ−Ｂ線に沿う模式部分断面図である。
【図２】  図１に示した建築用装飾板を３枚連結する際の手順を説明するための模式部分斜視図である。
【図３】  従来の建築用装飾板の一例を示し、（ａ）は模式背面図、（ｂ）は受部構成用突起の部分を示す拡大部分断面図、（ｃ）は受部構成用突起の部分を示す拡大部分背面図である。
【符号の説明】
１    表壁
１ａ    浮出し面
１ｂ    目地風面
１ｃ    折返し面
２    裏壁
２ａ    凹状リブ
２ｂ    突出部
２ｃ，５ｂ    枠状部
３〜６    マージン
３ａ    嵌合用溝部
３ｂ，５ａ    裏当て部
３ｃ〜６ｃ    端壁部
３ｄ    裏壁の延長部
３ｅ    脚部
４ｂ，６ｂ    段差部
７    取付用孔
８    発泡コンクリート
【図１】
0003904295.tif 000002
【図２】
0003904295.tif 000003
【図３】
0003904295.tif 000004